(57)【要約】【課題】乗客に必要以上のストレスを与えずにかご内の様子を表示するエレベータかご内表示装置を提供する。【解決手段】エレベータかご内表示装置は、エレベータかご内に天井に設置され、エレベータかごの出入口側を撮影するカメラおよび上記出入口と反対側の壁面に設置され、上記カメラにより撮影された画像を表示するモニタを備えるエレベータかご内表示装置において、上記モニタに表示する画像を制御する表示画像制御手段を備え、上記表示画像制御手段は、エレベータの運行に対応して上記エレベータかごが乗客の乗降のためにドアが開いている間だけ上記カメラが撮影した画像を左右に反転した画像を上記モニタに表示する。【選択図】図６
2008074535.tif 000002
【特許請求の範囲】
【請求項１】
エレベータかご内に天井に設置され、エレベータかごの出入口側を撮影するカメラおよび上記出入口と反対側の壁面に設置され、上記カメラにより撮影された画像を表示するモニタを備えるエレベータかご内表示装置において、
上記モニタに表示する画像を制御する表示画像制御手段を備え、
上記表示画像制御手段は、エレベータの運行に対応して上記エレベータかごが乗客の乗降のためにドアが開いている間だけ上記カメラが撮影した画像を左右に反転した画像を上記モニタに表示することを特徴とするエレベータかご内表示装置。
【請求項２】
上記表示画像制御手段は、ドアが閉じている間上記モニタに何も表示しないまたはエレベータの運行情報を表示することを特徴とする請求項１に記載のエレベータかご内表示装置。
【請求項３】
外から取得する報道情報を記憶する報道情報記憶手段を備え、
上記表示画像制御手段は、ドアが閉じている間上記モニタにエレベータの運行情報と報道情報とを交互に切り換えて表示することを特徴とする請求項１に記載のエレベータかご内表示装置。
【請求項４】
エレベータかご内に天井に設置され、エレベータかごの出入口側を撮影するカメラおよび上記出入口と反対側の壁面に設置され、上記カメラにより撮影された画像を表示するモニタを備え、車椅子運転モードまたは通常運転モードに切り換えて運転されるエレベータに具備するエレベータかご内表示装置において、
上記モニタに表示する画像を制御する表示画像制御手段を備え、
上記表示画像制御手段は、車椅子運転モードで運転されている間または通常運転モードでドアが開いている間上記カメラが撮影した画像を左右に反転した画像を上記モニタに表示することを特徴とするエレベータかご内表示装置。
【請求項５】
上記表示画像制御手段は、通常運転モードでドアが閉じている間上記モニタに何も表示しないまたはエレベータの運行情報を表示することを特徴とする請求項４に記載のエレベータかご内表示装置。
【請求項６】
外から取得する報道情報を記憶する報道情報記憶手段を備え、
上記表示画像制御手段は、通常運転モードでドアが閉じている間上記モニタにエレベータの運行情報と報道情報とを交互に切り換えて表示することを特徴とする請求項４に記載のエレベータかご内表示装置。
【請求項７】
乗客が操作して上記モニタに表示する画像を切り換える表示切換手段を備えることを特徴とする請求項１乃至６のいずれか一項に記載のエレベータかご内表示装置。
【発明の詳細な説明】
【技術分野】
【０００１】
この発明は、エレベータかご内を撮影して表示するエレベータかご内表示装置に関する。
【背景技術】
【０００２】
従来、身障者兼用エレベータは、車椅子利用者が乗りかごから降りる際に後方の確認を行う確認手段を備え、その確認手段は、乗りかごの出入口と反対側の側板に備えられるテレビモニターと、天井板の出入口側に取付けられるテレビカメラから構成されていた（例えば、特許文献１参照）。
しかし、モニタに映し出された画像は直接後方を見た画像と同じ画像であり、通常バックミラーに映る画像に対して左右が逆に映っているため、バックミラーによって後方を確認する場合に比べて違和感を生じるという問題があった。
そこで、車体の後方を撮影するテレビカメラによって撮影された後方画像を映し出すモニタにおいて、このモニタに映し出す後方画像の左右を反転させている（例えば、特許文献２参照）。
【０００３】
【特許文献１】特開平８−１５７１５５号公報
【特許文献２】特開平８−２０７６６１号公報
【発明の開示】
【発明が解決しようとする課題】
【０００４】
しかし、ドアが閉じていて人の移動が見られないエレベータかご内の様子をモニタに映し出していると乗客にストレスを与えるという問題がある。
【０００５】
この発明の目的は、乗客に必要以上のストレスを与えずにかご内の様子を表示するエレベータかご内表示装置を提供することである。
【課題を解決するための手段】
【０００６】
この発明に係わるエレベータかご内表示装置は、エレベータかご内に天井に設置され、エレベータかごの出入口側を撮影するカメラおよび上記出入口と反対側の壁面に設置され、上記カメラにより撮影された画像を表示するモニタを備えるエレベータかご内表示装置において、上記モニタに表示する画像を制御する表示画像制御手段を備え、上記表示画像制御手段は、エレベータの運行に対応して上記エレベータかごが乗客の乗降のためにドアが開いている間だけ上記カメラが撮影した画像を左右に反転した画像を上記モニタに表示する。
【発明の効果】
【０００７】
この発明に係わるエレベータかご内表示装置の効果は、ドアが全閉のとき、出入口の画像の代わりに運行情報がモニタに表示されるので、出入口の画像が乗客に与えるストレスを緩和することができる。
【発明を実施するための最良の形態】
【０００８】
実施の形態１．
図１は、この発明の実施の形態１に係わるエレベータかご内表示装置の構成図である。図２は、エレベータかごの手前の壁を取り除いて見たカメラとモニタの配置の様子を示す図である。図３は、エレベータかごの天井を取り除いて見たカメラとモニタの配置の様子を示す図である。図４は、カメラで撮影した出入口の画像データをそのままモニタに表示したときの画像である。図５は、カメラで撮影した出入口の画像データを左右反転処理してモニタに表示したときの画像である。
【０００９】
この発明の実施の形態１に係わるエレベータかご内表示装置１は、図２に示すように、エレベータかご１０内の天井１１に設置され、エレベータかご１０の出入口１２を撮影するカメラ２、出入口１２と反対側の壁面１３に設置され、カメラ２により撮影された画像を表示するモニタ３、カメラ２により撮影された画像データを取り込み、モニタ３に表示する画像データを制御する表示画像制御手段としての表示画像制御装置４を備える。
【００１０】
カメラ２は、ＣＣＤカメラまたはＣＭＯＳカメラなどであり、図２に示すように、エレベータかご１０内の出入口１２と反対側の壁面１３に近い天井１１に設置されている。そして、カメラの２光軸が下に傾くようにカメラ２が取り付けられ、出入口１２の様子を撮影し、画像データとして出力する。
このカメラ２が設置されたエレベータかご１０内には、図３に示すように、出入口から奥行きを眺めたとき、出入口１２の右手側にかご操作盤１５が備えられている。このかご操作盤１５の画像内の位置により、画像データが左右反転処理されていることを示す。そして、カメラ２がこの出入口１２をかご操作盤１５を含んで撮影して画像データを出力しているとき、そのままその画像データをモニタ３に表示すると、図４に示すように、かご操作盤１５が出入口１２の左手側に表示される。
【００１１】
モニタ３は、ＬＣＤ、プラズマディスプレイ、ＣＲＴなどであり、エレベータかご１０内の出入口１２と反対側の壁面１３の上部に設置されている。
表示画像制御装置４は、カメラ２から画像データが入力されている。また、表示画像制御装置４は、その画像データをそのままモニタに表示したときの画像を左右反転した画像になるように、画像データを処理する。この画像データの処理を左右反転処理と称す。
そして、図４に示す画像の画像データを左右反転処理した画像データをモニタ３に表示すると図５に示す画像となり、かご操作盤１５が出入口１２の右手側に表示される。
【００１２】
また、表示画像制御装置４は、エレベータかご１０の運行やドア１６の開閉などエレベータを制御する台制御盤５からエレベータ運行情報やドア開閉情報が入力される。そして、ドア開閉情報として、ドア１６が開き始める時点で戸開開始信号、ドア１６が全開になった時点で戸全開信号、ドア１６が閉まり始める時点で戸閉開始信号およびドア１６が全閉になった時点で戸全閉信号が入力される。
また、表示画像制御装置４は、ドア１６が開き始めてから全閉になる間、左右反転処理した画像データをモニタ３に表示し、ドア１６が全閉の間、運行情報をモニタ３に表示する。
【００１３】
次に、実施の形態１に係わる表示画像制御ルーチンについて図６を参照して説明する。図６は、この発明の実施の形態１に係わる表示画像制御ルーチンの処理手順を示すフローチャートである。この表示画像制御ルーチンは、エレベータが運転されているときには周期的に開始される。
ステップＳ１で、ドア１６が全閉であるか否かを判断し、ドア１６が全閉でないときステップＳ２に進み、ドア１６が全閉のときステップＳ３に進む。
ステップＳ２で、画像データを左右反転処理してモニタ３に表示して表示画像制御ルーチンを終了する。
ステップＳ３で、運行情報をモニタ３に表示して表示画像制御ルーチンを終了する。
【００１４】
この実施の形態１に係わるエレベータかご内表示装置１は、ドア１６が開いているとき、出入口１２を撮影した画像が鏡で反射して見えるように見えるので、違和感を生じなく乗客が後続の乗客を確認できるし、かご内の混み具合を判断して乗車位置を変えることもできる。また、後続の不審者も確認することができ、そのときには下車するなどの対応ができるので、防犯上にも有効である。
【００１５】
また、ドア１６が全閉のとき、出入口１２の画像の代わりに運行情報がモニタ３に表示されるので、出入口１２の画像が乗客に与えるストレスを緩和することができる。
また、ドア１６が全閉のとき、運行情報をモニタ３に表示するので、かご内に通常設置するかご位置表示装置を省略することができ、コストを削減することができる。
なお、ドア１６が全閉のとき運行情報をモニタ３に表示しているが、モニタ３に何も表示しなくてもよい。
【００１６】
実施の形態２．
図７は、この発明の実施の形態２に係わるエレベータかご内表示装置の構成図である。
この発明の実施の形態２に係わるエレベータかご内表示装置１Ｂは、図７に示すように、実施の形態１に係わるエレベータかご内表示装置１に報道情報記憶手段としての外部記憶装置６が追加され、それにともなって表示画像制御装置４Ｂの処理手順の一部が異なっており、それ以外は同様であるので、同様な部分に同じ符号を付記して説明は省略する。
実施の形態２に係わる外部記憶装置６は、ディジタルラジオ放送などからニュース、天気予報などの映像情報または文字情報からなる報道情報を収得し、記憶する。
【００１７】
実施の形態２に係わる表示画像制御装置４Ｂは、実施の形態１に係わる表示画像制御装置４の処理手順と、ドア１６が全閉のときの処理手順が異なり、それ以外は同様であるので、同様な手順の説明は省略する。表示画像制御装置４Ｂは、ドア１６が全閉のとき所定の周期でモニタ３に表示する内容を運行情報と外部記憶装置６から読み出す報道情報で交互に切り換える。
【００１８】
次に、実施の形態２に係わる表示画像制御ルーチンについて図８を参照して説明する。図８は、この発明の実施の形態２に係わる表示画像制御ルーチンの処理手順を示すフローチャートである。この表示画像制御ルーチンは、エレベータが運転されているときには周期的に開始される。
ステップＳ１１で、ドア１６が全閉であるか否かを判断し、ドア１６が全閉でないときステップＳ１２に進み、ドア１６が全閉のときステップＳ１３に進む。
ステップＳ１２で、画像データを左右反転処理してモニタ３に表示して表示画像制御ルーチンを終了する。
ステップＳ１３で、表示周期が到来したか否かを判断し、表示周期が到来していないときステップＳ１４に進み、表示周期が到来したときステップＳ１５に進む。
ステップＳ１４で、現在表示している運行情報または報道情報を内容を更新してモニタ３に表示して表示画像制御ルーチンを終了する。
ステップＳ１５で、現在運行情報を表示している場合、報道情報を、現在報道情報を表示している場合、運行情報を内容を更新してモニタ３に表示して表示画像制御ルーチンを終了する。
【００１９】
この実施の形態２に係わるエレベータかご内表示装置１Ｂは、実施の形態１に係わるエレベータかご内表示装置１と同様に、ドア１６が全閉のとき運行情報または報道情報を表示するので、出入口の画像が乗客に与えるストレスを緩和することができる。
また、ドア１６が全閉のとき報道情報のような有効情報を提供するので、乗客の利便性を向上することができる。
なお、実施の形態２においてドア１６が全閉のとき報道情報を表示しているが、必ずしもこれに限るものではなく、例えば、エレベータが設置されている建物のイベント情報などを表示してもよい。
【００２０】
実施の形態３．
この発明の実施の形態３に係わるエレベータかご内表示装置は、実施の形態１に係わるエレベータかご内表示装置１が適用されたエレベータと異なり、車椅子運転モードと通常運転モードの２通りの運転ができるエレベータに適用される。そして、表示画像制御装置４には、台制御盤５からエレベータ運行情報やドア開閉情報が入力されているが、さらに運転モード情報、すなわち車椅子運転モードと通常運転モードの情報が入力される。
【００２１】
次に、実施の形態３に係わる表示画像制御ルーチンについて図９を参照して説明する。図９は、この発明の実施の形態３に係わる表示画像制御ルーチンの処理手順を示すフローチャートである。この表示画像制御ルーチンは、エレベータが運転されているときには周期的に開始される。
ステップＳ２１で、運転モードが車椅子運転モードであるか否かを判断し、車椅子運転モードであるときステップＳ２４に進み、通常運転モードであるときステップＳ２２に進む。
ステップＳ２２で、ドア１６が全閉であるか否かを判断し、ドア１６が全閉のときステップＳ２３に進み、ドア１６が全閉でないときステップＳ２４に進む。
ステップＳ２３で、運行情報をモニタ３に表示して表示画像制御ルーチンを終了する。
ステップＳ２４で、画像データを左右反転処理してモニタ３に表示して表示画像制御ルーチンを終了する。
【００２２】
この実施の形態３に係わるエレベータかご内表示装置は、車椅子運転モードのときには出入口１２を写してモニタ３に表示された画像が鏡を通してみた画像と同じように見えるので、車椅子の人は左右の関係を違和感を生じることなく背後にいる人を確認することができる。
また、通常運転モードのエレベータでドア１６が全閉のとき、出入口１２の画像の代わりに運行情報がモニタ３に表示されるので、出入口１２の画像が乗客に与えるストレスを緩和することができる。
また、ドア１６が全閉のとき、運行情報をモニタ３に表示するので、かご内に通常設置するかご位置表示装置を省略することができ、コストを削減することができる。
【００２３】
なお、実施の形態３に係わるエレベータかご内表示装置では、通常運転モードのエレベータでドア１６が全閉のとき運行情報をモニタ３に表示しているが、通常運転モードのとき常に運行情報をモニタ３に表示してもよい。
また、通常運転モードのエレベータでドアが全閉のとき運行情報をモニタに表示しているが、モニタに何も表示しなくてもよい。
【００２４】
実施の形態４．
この発明の実施の形態４に係わるエレベータかご内表示装置は、実施の形態２に係わるエレベータかご内表示装置１Ｂが適用されたエレベータと異なり、車椅子運転モードと通常運転モードの２通りの運転ができるエレベータに適用される。そして、表示画像制御装置４Ｂには、台制御盤５からエレベータ運行情報やドア開閉情報が入力されているが、さらに運転モード情報、すなわち車椅子運転モードと通常運転モードの情報が入力される。
実施の形態４に係わる外部記憶装置６は、ディジタルラジオ放送などからニュース、天気予報などの報道情報を収得し、記憶する。
【００２５】
次に、実施の形態４に係わる表示画像制御ルーチンについて図１０を参照して説明する。図１０は、この発明の実施の形態４に係わる表示画像制御ルーチンの処理手順を示すフローチャートである。この表示画像制御ルーチンは、エレベータが運転されているときには周期的に開始される。
ステップＳ３１で、運転モードが車椅子運転モードであるか否かを判断し、車椅子運転モードであるときステップＳ３３に進み、通常運転モードであるときステップＳ３２に進む。
ステップＳ３２で、ドア１６が全閉であるか否かを判断し、ドア１６が全閉でないときステップＳ３３に進み、ドア１６が全閉のときステップＳ３４に進む。
ステップＳ３３で、画像データを左右反転処理してモニタ３に表示して表示画像制御ルーチンを終了する。
ステップＳ３４で、表示周期が到来したか否かを判断し、表示周期が到来していないときステップＳ３５に進み、表示周期が到来したときステップＳ３６に進む。
ステップＳ３５で、現在表示している運行情報または報道情報を内容を更新してモニタ３に表示して表示画像制御ルーチンを終了する。
ステップＳ３６で、現在運行情報を表示している場合、報道情報を、現在報道情報を表示している場合、運行情報を内容を更新してモニタ３に表示して表示画像制御ルーチンを終了する。
【００２６】
この実施の形態４に係わるエレベータかご内表示装置は、実施の形態３に係わるエレベータかご内表示装置と同様に、通常運転モードで且つドア１６が全閉のとき運行情報または報道情報を表示するので、出入口１２の画像が乗客に与えるストレスを緩和することができる。
また、通常運転モードで且つドア１６が全閉のとき報道情報のような有効情報を提供するので、乗客の利便性を向上することができる。
なお、実施の形態４においてドア１６が全閉のとき報道情報を表示しているが、必ずしもこれに限るものではなく、例えば、エレベータが設置されている建物のイベント情報などを表示してもよい。
【００２７】
実施の形態５．
図１１は、この発明の実施の形態５に係わるエレベータかご内表示装置の構成図である。
この発明の実施の形態５に係わるエレベータかご内表示装置１Ｅは、実施の形態１に係わるエレベータかご内表示装置１に表示切換手段としての表示切換装置７が追加されており、それにともなって表示画像制御装置４Ｅの動作手順が異なり、それ以外は同様であるので、同様な部分に同じ符号を付記して説明は省略する。
この実施の形態５に係わる表示切換装置７は、乗客が操作でき、赤外線信号を送信するリモコン８とかご内の壁に配置され、赤外線信号を受信するリモコン受信部９から構成されている。そして、リモコン８には出入口１２の画像をモニタ３に表示するか表示しないかを切り換えるボタンが設けられ、乗客がボタンを切入するとリモコン８からボタンの状態に係わる赤外線信号が送信される。リモコン受信部９は、表示画像制御装置４Ｅに接続され、受信した赤外線信号を電気信号に変換して表示画像制御装置４Ｅに送信する。
【００２８】
次に、実施の形態５に係わる表示画像制御ルーチンについて図１２を参照して説明する。図１２は、この発明の実施の形態５に係わる表示画像制御ルーチンの処理手順を示すフローチャートである。この表示画像制御ルーチンは、エレベータが運転されているときには周期的に開始される。
ステップＳ４１で、リモコン８から出入口１２の画像を表示する信号が入力されているか否かを判断し、入力されているときステップＳ４３に進み、入力されていないときステップＳ４２に進む。
ステップＳ４２で、ドア１６が全閉であるか否かを判断し、ドア１６が全閉でないときステップＳ４３に進み、ドアが全閉のときステップＳ４４に進む。
ステップＳ４３で、画像データを左右反転処理してモニタ３に表示して表示画像制御ルーチンを終了する。
ステップＳ４４で、運行情報をモニタ３に表示して表示画像制御ルーチンを終了する。
【００２９】
この実施の形態５に係わるエレベータかご内表示装置１Ｅは、乗客がリモコン８を用いて出入口１２の画像をモニタ３に表示するように信号を入力することにより、全閉のときでもかご内の様子をモニタ３に表示することができるので、不審者が同乗していてもモニタ３にかご内の様子を表示することにより不審者の犯意を削ぐ防犯効果がある。
【図面の簡単な説明】
【００３０】
【図１】この発明の実施の形態１に係わるエレベータかご内表示装置の構成図である。
【図２】エレベータかごの手前の壁を取り除いて見たカメラとモニタの配置の様子を示す図である。
【図３】エレベータかごの天井を取り除いて見たカメラとモニタの配置の様子を示す図である。
【図４】カメラで撮影した出入口の画像データをそのままモニタに表示したときの画像である。
【図５】カメラで撮影した出入口の画像データを左右反転処理してモニタに表示したときの画像である。
【図６】この発明の実施の形態１に係わる表示画像制御ルーチンの処理手順を示すフローチャートである。
【図７】この発明の実施の形態２に係わるエレベータかご内表示装置の構成図である。
【図８】この発明の実施の形態２に係わる表示画像制御ルーチンの処理手順を示すフローチャートである。
【図９】この発明の実施の形態３に係わる表示画像制御ルーチンの処理手順を示すフローチャートである。
【図１０】この発明の実施の形態４に係わる表示画像制御ルーチンの処理手順を示すフローチャートである。
【図１１】この発明の実施の形態５に係わるエレベータかご内表示装置の構成図である。
【図１２】この発明の実施の形態５に係わる表示画像制御ルーチンの処理手順を示すフローチャートである。
【符号の説明】
【００３１】
１、１Ｂ、１Ｅ  エレベータかご内表示装置、２  カメラ、３  モニタ、４、４Ｂ、４Ｅ  表示画像制御装置、５  台制御盤、６  外部記憶装置、７  表示切換装置、８  リモコン、９  リモコン受信部、１１  天井、１２  出入口、１３  壁面、１５  かご操作盤、１６  ドア。
【図１】
2008074535.tif 000003
【図２】
2008074535.tif 000004
【図３】
2008074535.tif 000005
【図４】
2008074535.tif 000006
【図５】
2008074535.tif 000007
【図６】
2008074535.tif 000008
【図７】
2008074535.tif 000009
【図８】
2008074535.tif 000010
【図９】
2008074535.tif 000011
【図１０】
2008074535.tif 000012
【図１１】
2008074535.tif 000013
【図１２】
2008074535.tif 000014